(57)【要約】【課題】  シリンダー錠において、自然に起因する異物の浸入を規制するだけでなく、鍵に付着した人為的な異物の侵入も規制する。【解決手段】  シリンダー錠１は、錠本体２と、錠本体２のシリンダー孔３に回動自在に支持され鍵穴５が設けられたシリンダー４とを備えている。鍵穴５から挿入された鍵が通過する空間が形成された支持片９には、空間を覆うようにばね材によって形成された多数の線材からなる除去ブラシ８Ａが支持されている。支持片９をシリンダー４の溝１７から挿入し、除去ブラシ８Ａをシリンダー４に取り付けることにより、除去ブラシ８Ａによって鍵穴５が覆われる。また、鍵穴５から挿入された鍵が除去ブラシ８Ａを通過するとき、線材が弾性変形しながら鍵に摺接し、鍵に付着した異物を掻き落とす。【選択図】  図１
2010209632.tif 000002
【特許請求の範囲】
【請求項１】
シリンダー孔を有する錠本体と、この錠本体のシリンダ孔に回動自在に支持され鍵穴が設けられたシリンダーと、このシリンダーの鍵穴に挿入される鍵とを備えたシリンダー錠において、
前記鍵穴に挿入される前記鍵に摺接する弾性変形可能な除去ブラシと、この除去ブラシが支持され前記シリンダーに取り付けられる支持片とを備えたことを特徴とするシリンダー錠。
【請求項２】
前記支持片は、前記鍵穴から挿入された前記鍵を通過させる空間を備え、
前記除去ブラシは多数のばね性を有する線材によって形成され前記鍵穴の短辺方向に一対設けられた線材群によって構成され、
これら線材群を形成する線材は、前記鍵穴の短辺方向を指向し、かつ鍵穴の長辺方向に並設され、一対の前記線材群の線材は、互いの自由端が間隔を隔てて対向して前記空間に臨むように、各基端部が前記空間の端縁に取り付けられていることを特徴とする請求項１記載のシリンダー錠。
【請求項３】
前記除去ブラシが、前記空間を挟んで対向するように、前記支持片の前記鍵挿入方向における前側および後側のそれぞれの面に取り付けられていることを特徴とする請求項２記載のシリンダー錠。
【請求項４】
前記除去ブラシのうち、前記支持片の前記鍵挿入方向における前側および後側のいずれか一方の面に取り付けられた除去ブラシの線材は、前記鍵穴の長辺方向を指向し、かつ鍵穴の短辺方向に並設され、一対の前記線材群の線材は、互いの自由端が間隔を隔てて対向して前記空間に臨むように、各基端部が前記空間の端縁に取り付けられていることを特徴とする請求項３記載のシリンダー錠。
【請求項５】
前記空間に、前記鍵に付着し前記除去ブラシによって除去された異物を排出する排出口を設けたことを特徴とする請求項２ないし４のいずれか一項記載のシリンダー錠。
【請求項６】
前記支持片は前記シリンダに着脱自在に取り付けられていることを特徴とする請求項１ないし５のいずれか一項記載のシリンダー錠。
【請求項７】
前記支持片の上面に前記シリンダー孔の内周面と同じ曲率に形成された円弧状の係合面を設けるとともに、この係合面の両端に係合突起を設け、
前記シリンダに前記支持片が挿入される溝を設け、
この溝に、当該溝に挿入された前記支持片の係合突起が係合し、前記シリンダの回動に追従して支持片を回動させる被係合部を設けたことを特徴とする請求項６記載のシリンダー錠。
【発明の詳細な説明】
【技術分野】
【０００１】
本発明は、塵埃等の異物が鍵穴から浸入するのを規制するシリンダー錠に関するものである。
【背景技術】
【０００２】
この種のシリンダー錠においては、鍵穴から塵埃や雨水等が浸入すると、塵埃が錠本体のシリンダー内に堆積したり、シリンダー内で錆が発生することにより施解錠ができなくなるという不都合が生じることがある。したがって、この種のシリンダー錠においては、鍵穴から異物が侵入しないようにするために、鍵穴を防塵シャッターやキャップで覆うようにしたものがある。
【０００３】
例えば、鍵穴が設けられた内筒と、この内筒の鍵穴を覆う開閉自在なシャッターとを備え、鍵を鍵穴に挿入しない常態においては、鍵穴がシャッタによって覆われるため、鍵穴から雨水や塵埃等の浸入が規制され、鍵のステムによってシャッタをこじ開けることにより鍵穴にステムを挿入し内筒を回動させると、内筒と一体的にシャッタが回動して施解錠操作が行われるものがある（特許文献１参照）。
【先行技術文献】
【特許文献】
【０００４】
【特許文献１】特開２００３−１２９７０６号公報（段落〔００１０〕〜〔００３１〕、図１ないし４）
【発明の概要】
【発明が解決しようとする課題】
【０００５】
上述したようなシリンダー錠においては、雨水や塵埃等の自然に起因する異物の浸入については、シャッタによって規制することが可能であるが、鍵に付着した異物については、鍵穴内へ挿入される鍵といっしょにシリンダー内に浸入してしまうおそれがあるという問題があった。
【０００６】
本発明は上記した従来の問題に鑑みなされたものであり、その目的とするところは、自然に起因する異物の浸入を規制するだけでなく、鍵に付着した人為的な異物の侵入も規制するシリンダー錠を提供するところにある。
【課題を解決するための手段】
【０００７】
この目的を達成するために、本発明は、シリンダー孔を有する錠本体と、この錠本体のシリンダ孔に回動自在に支持され鍵穴が設けられたシリンダーと、このシリンダーの鍵穴に挿入される鍵とを備えたシリンダー錠において、前記鍵穴に挿入される前記鍵に摺接する弾性変形可能な除去ブラシと、この除去ブラシが支持され前記シリンダーに取り付けられる支持片とを備えたものである。
【発明の効果】
【０００８】
本発明によれば、鍵を鍵穴に挿入しない常態においては、鍵穴が除去ブラシによって覆われるため、鍵穴から雨水や塵埃等の異物の浸入が規制されるとともに、鍵を鍵穴に挿入するときに除去ブラシが鍵に摺接するため、鍵に付着した異物の鍵穴からの浸入を規制することができる。
【図面の簡単な説明】
【０００９】
【図１】本発明に係るシリンダー錠を分解して示す斜視図である。
【図２】本発明に係るシリンダー錠の斜視図である。
【図３】本発明に係るシリンダー錠における除去ブラシを示し、同図（Ａ）は斜視図、同図（Ｂ）は平面図、同図（Ｃ）は正面図、同図（Ｄ）は側面図である。
【図４】図５におけるIV-IV 線断面図である。
【図５】本発明に係るシリンダー錠において、鍵を鍵穴に挿入した状態を示す側断面図である。
【図６】本発明に係るシリンダー錠において、鍵を一方の除去ブラシに通した状態を示す側断面図である。
【図７】本発明に係るシリンダー錠において、鍵を両方の除去ブラシに通した状態を示す側断面図である。
【図８】本発明の除去ブラシの第２の実施の形態し、同図（Ａ）は平面図、同図（Ｂ）は正面図、同図（Ｃ）は側面図、同図（Ｄ）は背面図、同図（Ｅ）は同図（Ｃ）におけるVIII（Ｅ）-VIII（Ｅ） 線断面図である。
【発明を実施するための形態】
【００１０】
以下、本発明の実施の形態を図１ないし７に基づいて説明する。
[実施の形態１]
【００１１】
図１および図５に全体を符号１で示すシリンダー錠は、シリンダー孔３が中央部に設けられ全体が略筒状に形成された錠本体２と、この錠本体２のシリンダー孔３に、図２に示すように嵌合されて当該シリンダー孔３に回動自在に支持され、断面が細長い長方形に形成された鍵穴５が設けられ、全体が略円柱状に形成されたシリンダー４と、このシリンダー４の鍵穴５にステム７が挿入される鍵６と、この鍵６に付着した異物を取り除く除去ブラシ８Ａ，８Ｂとによって構成されている。鍵穴５は、長辺５ａと短辺５ｂとからなる長方形に形成されている。
【００１２】
このような構成において、シリンダー４の鍵穴５の長辺５ａが、図２に示すように上下方向（図中矢印Ａ−Ｂ方向）を指向している状態においては、シリンダー錠１は解錠されている。一方、この状態で、鍵穴５に鍵６のステム７を挿入し、鍵６を略９０°だけ時計方向に回動操作し、シリンダー４を９０°だけ時計方向に回動させ、鍵穴５の長辺５ａを水平方向（図中矢印Ｃ−Ｄ方向）を指向させることにより、シリンダー錠１が施錠される。
【００１３】
次に、図３を用いて、本発明の特徴である除去ブラシについて説明する。同図において、９は除去ブラシ８Ａ，８Ｂを支持する扁平な略直方体に形成された支持片であって、中央部に鍵穴５に挿入された鍵６のステム７を通過させる下部が開放された長方形の空間１１が設けられている。この空間１１の開放された下部は、除去ブラシ８Ａ，８Ｂによって除去された異物を排出する排出口１２として機能する。この支持片９の上面は、シリンダー孔３の内周面と同じ曲率の円弧状の係合面１３を形成しており、この係合面１３の両端には係合突起１４，１４が突設されている。
【００１４】
除去ブラシ８Ａ，８Ｂは、ばね性を有する弾性変形可能な多数の線材１５によって形成された一対の線材群１６Ａ，１６Ｂによって構成されている。このうち、除去ブラシ８Ａは、支持片９の鍵６の挿入方向（矢印Ｅ方向）における前側のＦ面に取り付けられている。この除去ブラシ８Ａの線材群１６Ａを形成する線材１５は、この除去ブラシ８Ａが後述するようにシリンダー４に取り付けられた状態で、鍵穴５の短辺５ｂ方向（矢印Ｃ−Ｄ方向）を指向し、かつ鍵穴５の長辺５ａ方向（矢印Ａ−Ｂ方向）に並設され、自由端が空間１１に臨むように基端部が空間１１の端縁１１ａに取り付けられている。
【００１５】
除去ブラシ８Ａの線材群１６Ｂを形成する線材１５は、鍵穴５の短辺５ｂ方向（矢印Ｃ−Ｄ方向）を指向し、かつ鍵穴５の長辺５ａ方向（矢印Ａ−Ｂ方向）に並設され、自由端が空間１１に臨むように基端部が空間１１の端縁１１ｂに取り付けられている。このように構成された除去ブラシ８Ａの一対の線材群１６Ａ，１６Ｂの各線材５，５の互いの自由端は、鍵６のステム７の厚み（鍵穴５の短辺５ｂの長さに相当）よりも小さい間隔δ１を隔てて対向している。
【００１６】
一方、除去ブラシ８Ｂは、支持片９の鍵６の挿入方向（矢印Ｅ方向）における後側のＲ面に取り付けられている。この除去ブラシ８Ｂの線材群１６Ａを形成する線材１５は、この除去ブラシ８Ｂがシリンダー４に取り付けられた状態で、鍵穴５の短辺５ｂ方向（矢印Ｃ−Ｄ方向）を指向し、かつ鍵穴５の長辺５ａ方向（矢印Ａ−Ｂ方向）に並設され、自由端が空間１１に臨むように基端部が空間１１の端縁１１ｃに取り付けられている。
【００１７】
除去ブラシ８Ｂの線材群１６Ｂを形成する線材１５は、鍵穴５の短辺５ｂ方向（矢印Ｃ−Ｄ方向）を指向し、かつ鍵穴５の長辺５ａ方向（矢印Ａ−Ｂ方向）に並設され、自由端が空間１１に臨むように基端部が空間１１の端縁１１ｄに取り付けられている。このように構成された除去ブラシ８Ｂの一対の線材群１６Ａ，１６Ｂの各線材５，５の互いの自由端は、鍵６のステム７の厚みよりも小さい間隔δ１を隔てて対向している。
【００１８】
次に、図４を用いて、このように構成された除去ブラシ８Ａ，８Ｂのシリンダー４への取付構造について説明する。シリンダー４の鍵穴５の入口端の近傍部位には、図４に示すように直径方向に延在し支持片９を挿入する溝１７が設けられており、この溝１７の矢印Ａ方向の端部の両側には、支持片９の係合突起１４，１４が係合する被係合部１８，１８が設けられている。上記した錠本体２には、この溝１７に対応して当該溝１７に挿入された支持片９の排出口１２に連通するとともに、外部に連通した排出孔１９が設けられている。
【００１９】
このような構成において、シリンダー４の溝１７に支持片９を挿入すると、支持片９の係合部１４が溝１７の被係合部１８に係合する。この状態で、シリンダー４を錠本体２のシリンダー孔３内に挿入すると、支持片９の係合面１３が錠本体２のシリンダー孔３の内周面に対接する。したがって、錠本体２によって支持片９が溝１７からの抜けを規制されるとともに、係合部１４と被係合部１８との係合によって、支持片９がシリンダー４と一体的に回動する。
【００２０】
このように、支持片９がシリンダー４に取り付けられると、除去ブラシ８Ａ，８Ｂによって鍵穴５が覆われるため、鍵穴５内への雨水や塵埃等の自然に起因する異物の浸入が規制される。また、支持片９がシリンダー４の溝１７に着脱自在に取り付けられていることにより、シリンダー４を錠本体２のシリンダー孔３から抜き取ることにより、除電ブラシ８Ａ，８Ｂを容易に交換することができる。
【００２１】
次に、図５ないし７を用いて、このように構成されたシリンダー錠における異物の除去動作について説明する。図５に示すように、鍵６を矢印Ｅ方向に移動させ、ステム７をシリンダー４の鍵穴５に挿入し、ステム７の先端を一方の除去ブラシ８Ａに当接させる。さらに、鍵６のステム７を矢印Ｅ方向に移動させることにより、図６に示すように、ステム７の先端が一方の除去ブラシ８Ａを通過して他方の除去ブラシ８Ｂに当接する。
【００２２】
このとき、一方の除去ブラシ８Ａを構成している一対の線材群１６Ａ，１６Ｂの各線材５，５の互いの自由端が、鍵６のステム７の厚みよりも小さい間隔δ１をおいて対向しているため、ステム７がこれら線材群１６Ａ，１６Ｂ間を通過する際に、線材５が弾性変形しながらステム７の表面に摺接する。したがって、ステム７の表面に付着した異物２０が線材５によって掻き落とされる。
【００２３】
この状態から、さらに、鍵６のステム７を矢印Ｅ方向に移動させることにより、図７に示すように、ステム７の先端が他方の除去ブラシ８Ｂを通過する。このとき、一方の除去ブラシ８Ａを通過するときと同じように、除去ブラシ８Ｂを構成する線材群１６Ａ，１６Ｂの線材５が弾性変形しながらステム７の表面に摺接する。したがって、ステム７の表面に付着し除去ブラシ８Ａによって掻き落とされなかった残りの異物２０が除去ブラシ８Ｂの線材５によって掻き落とされる。
【００２４】
このように、除去ブラシ８Ａ，８Ｂが、空間１１を挟んで対向するように、支持片９の鍵挿入方向（矢印Ｅ方向）における前側および後側のそれぞれの面に取り付けられているため、ステム７の表面に付着した異物２０が線材５によって確実に掻き落とされる。除去ブラシ８Ｂによって掻き落とされた異物は、支持片９の排出口１２および錠本体２の排出孔１９を通ってシリンダー錠１の外部に排出される。
【００２５】
なお、上述した第１の実施例においては、除去ブラシ８Ａ，８Ｂを支持片９の鍵挿入方向における前側および後側のそれぞれのＦ面、Ｇ面に取り付けるようにしたが、支持片９の鍵挿入方向における前側および後側のいずれか一方の面に取り付けるようにしてもよい。
[実施の形態２]
【００２６】
次に、図８を用いて、本発明の第２の実施例について説明する。
【００２７】
この第２の実施例の支持片１０９が、上述した第１の実施例の支持片９と異なる点は、空間１１１の下部に設けた、除去ブラシ８Ａ，１０８Ｂによって除去された異物２０を排出する排出口１１２を中空状に形成した点と、支持片９の鍵挿入方向における後側のＲ面に取り付けた除去ブラシ１０８Ｂを構成する線材１５の指向方向を鍵穴５の長辺５ａ方向（矢印Ａ−Ｂ方向）とした点にある。
【００２８】
すなわち、除去ブラシ１０８Ｂは、ばね性を有する弾性変形可能な多数の線材１５によって形成された一対の線材群１１６Ａ，１１６Ｂによって構成されている。この除去ブラシ１０８Ｂの線材群１１６Ａを形成する線材１５は、鍵穴５の長辺５ａ方向（矢印Ａ−Ｂ方向）を指向し、かつ鍵穴５の短辺５ｂ方向（矢印Ｃ−Ｄ方向）に並設され、自由端が空間１１１に臨むように基端部が空間１１の端縁１１ｅに取り付けられている。
【００２９】
除去ブラシ１０８Ｂの線材群１１６Ｂを形成する線材１５は、鍵穴５の長辺５ａ方向（矢印Ａ−Ｂ方向）を指向し、かつ鍵穴５の短辺５ｂ方向（矢印Ｃ−Ｄ方向）に並設され、自由端が空間１１１に臨むように基端部が空間１１の端縁１１ｆに取り付けられている。このように構成された除去ブラシ１０８Ｂの一対の線材群１１６Ａ，１１６Ｂの各線材５，５の互いの自由端は、鍵６のステム７の高さＨよりも小さい間隔δ２を隔てて対向している。
【００３０】
このように構成されていることにより、鍵穴５に挿入された鍵６のステム７が除去ブラシ８Ａを通過する際に、除去ブラシ８Ａの線材１５によって、ステム７の両側面に付着した異物が掻き落とされる。次いで、ステム７が除去ブラシ１０８Ｂを通過する際に、ステム７の上下面が除去ブラシ１０８Ｂの線材１５によって摺接されるため、ステム７の上下面に付着した異物が掻き落とされる。このように、ステム７の全面に付着した異物を除去ブラシ８Ａ，１０８Ｂによって掻き落とすことができるため、ステム７の全面に付着した異物を確実に除去することができる。
【００３１】
なお、この第２の実施例においては、除去ブラシ１０８Ｂを支持片９の鍵挿入方向における後側のＲ面に取り付け、除去ブラシ８Ａを支持片９の鍵挿入方向における前側のＦ面に取り付けた例を説明したが、除去ブラシ１０８Ｂを支持片９の鍵挿入方向における前側のＦ面に取り付け、除去ブラシ８Ａを支持片９の鍵挿入方向における後側のＲ面に取り付けるようにしてもよい。
【符号の説明】
【００３２】
１…シリンダー錠、２…錠本体、３…シリンダー孔、４…シリンダー、５…鍵穴、６…鍵、７…ステム、８Ａ，８Ｂ，１０８Ｂ…除去ブラシ、９，１０９…支持片、１１…空間、１２…排出口、１３…係合面、１４…係合突起、１５…線材、１６Ａ，１６Ｂ，１１６Ａ，１１６Ｂ…線材群、１７…溝、１８…被係合部、１９…排出孔、２０…異物。
【図１】
2010209632.tif 000003
【図２】
2010209632.tif 000004
【図３】
2010209632.tif 000005
【図４】
2010209632.tif 000006
【図５】
2010209632.tif 000007
【図６】
2010209632.tif 000008
【図７】
2010209632.tif 000009
【図８】
2010209632.tif 000010